(57)【要約】【課題】  点鼻薬の吐出およびカバーキャップの装着操作が容易な点鼻薬吐出容器を提供することにある。【解決手段】シリンダ内から上方付勢されて起立するステムＳへ吐出ノズル４０を装着し、該吐出ノズル４０を押下げ可能な操作レバー３０を上下方向へ揺動可能に設け、該操作レバー３０を吐出ノズル４０へ係合させるための係合手段３５、４２を設け、前記操作レバー３０は、前記ステム押下げ前の第１位置と、押下げ後の第２位置と、前記係合手段を介して前記吐出ノズルへ係合した第３位置とを有し、第１及び第２位置に位置する操作レバーの先端は前記ステムの軸線を中心とする円の外方に位置し、第３位置に位置する操作レバーの先端は前記円の内方に位置する。【選択図】  図１
2010082195.tif 000002
【特許請求の範囲】
【請求項１】
シリンダ内から上方付勢されて起立するステムＳへ吐出ノズル４０を装着し、
該吐出ノズル４０を押下げ可能な操作レバー３０を上下方向へ揺動可能に設け、
該操作レバー３０を吐出ノズル４０へ係合させるための係合手段３５を設け、
前記操作レバー３０は、前記ステム押下げ前の第１位置と、押下げ後の第２位置と、前記係合手段を介して前記吐出ノズルへ係合した第３位置とを有し、
第１及び第２位置に位置する操作レバーの先端は前記ステムの軸線を中心とする円の外方に位置し、第３位置に位置する操作レバーの先端は前記円の内方に位置する
ことを特徴とする点鼻薬吐出機構。
【請求項２】
前記ステムＳの軸線を中心とする円の径は、前記吐出ノズル４０を覆うカバーキャップ５０の内径より小径であることを特徴とする請求項１記載の点鼻薬吐出機構。
【請求項３】
容器体１内に設けられたシリンダ内から上方付勢されて起立するステムＳへ吐出ノズル４０を装着し、
容器体の口頸部３へ装着させた装着筒１０外面へ支持筒２０下部を嵌合させるとともに、該支持筒上部の後部に上端開口のストローク用切欠部２１を形成し、
該支持筒の前部上端部に操作レバー３０を上下方向へ揺動自在に支持させて、該操作レバーの透孔３４へ前記吐出ノズル４０を挿通させるとともに、該透孔３４の後端を前記吐出ノズル４０へ係合可能に設け、
該操作レバー３０を吐出ノズル４０へ係合させるための係合手段３５を設け、
前記支持筒２０外面へカバーキャップ５０下部を嵌合可能に設け、
該カバーキャップの嵌合状態で、前記操作レバー３０は前記係合手段を介して前記吐出ノズル４０へ係合した吐出ノズル押下げ休止位置を取り、
該カバーキャップの離脱状態で、前記操作レバーは、前記透孔３４後端が前記吐出ノズル４０下部へ係合した吐出ノズル押下げ前の吐出ストローク開始位置と、前記ストローク用切欠部２１内下降による吐出ノズル押下げ後の吐出ストローク終了位置とを取る
ことを特徴とする点鼻薬吐出容器。
【発明の詳細な説明】
【技術分野】
【０００１】
本発明は、鼻腔内へ点鼻薬を吐出させる点鼻薬吐出機構と点鼻薬吐出容器に関する。
【背景技術】
【０００２】
容器内のシリンダから上方付勢されて起立するステムへノズルを嵌合させるとともに、該ノズル下端に押下げ用フランジを設け、該押下げ用フランジと容器底部とに指を掛けてノズルを下方へ押下げることでノズルから点鼻薬を吐出させる点鼻薬注出ノズルが知られている(特許文献１)。
【特許文献１】特開２００８−１３２４０６号公報
【発明の開示】
【発明が解決しようとする課題】
【０００３】
特許文献１記載の発明では、点鼻薬を注出させる際に、例えば、親指を容器底部に、かつ人差し指や中指等を押下げ用フランジに掛ける必要があり、したがって、容器の高さが高い場合には親指と人差し指及び中指との間隔を広くしなければならず、注出操作がしづらくなるため、容器の高さがおのずと制限されざるを得なかった。
【０００４】
本発明の目的は、点鼻薬の吐出およびカバーキャップの装着操作が容易な点鼻薬吐出機構と点鼻薬吐出容器を提供することにある。
【課題を解決するための手段】
【０００５】
本発明は、シリンダ内から上方付勢されて起立するステムＳへ吐出ノズル４０を装着し、
該吐出ノズル４０を押下げ可能な操作レバー３０を上下方向へ揺動可能に設け、
該操作レバー３０を吐出ノズル４０へ係合させるための係合手段３５を設け、
前記操作レバー３０は、前記ステム押下げ前の第１位置と、押下げ後の第２位置と、前記係合手段を介して前記吐出ノズルへ係合した第３位置とを有し、
第１及び第２位置に位置する操作レバーの先端は前記ステムの軸線を中心とする円の外方に位置し、第３位置に位置する操作レバーの先端は前記円の内方に位置することを特徴とする。
【０００６】
また、前記ステムＳの軸線を中心とする円の径は、前記吐出ノズル４０を覆うカバーキャップ５０の内径より小径であることを特徴とする。
【０００７】
さらに、本発明は、容器体１内に設けられたシリンダ内から上方付勢されて起立するステムＳへ吐出ノズル４０を装着し、
容器体の口頸部３へ装着させた装着筒１０外面へ支持筒２０下部を嵌合させるとともに、該支持筒上部の後部に上端開口のストローク用切欠部２１を形成し、
該支持筒の前部上端部に操作レバー３０を上下方向へ揺動自在に支持させて、該操作レバーの透孔３４へ前記吐出ノズル４０を挿通させるとともに、該透孔３４の後端を前記吐出ノズル４０へ係合可能に設け、
該操作レバー３０を吐出ノズル４０へ係合させるための係合手段３５を設け、
前記支持筒２０外面へカバーキャップ５０下部を嵌合可能に設け、
該カバーキャップの嵌合状態で、前記操作レバー３０は前記係合手段を介して前記吐出ノズル４０へ係合した吐出ノズル押下げ休止位置を取り、
該カバーキャップの離脱状態で、前記操作レバーは、前記透孔後端が前記吐出ノズル下部へ係合した吐出ノズル押下げ前の吐出ストローク開始位置と、前記ストローク用切欠部内下降による吐出ノズル押下げ後の吐出ストローク終了位置とを取ることを特徴とする。
【発明の効果】
【０００８】
本発明は、操作レバーで吐出ノズルを押下げ可能に設けたので、小さい操作力で点鼻薬を吐出することができる。
【０００９】
また、カバーキャップの装着時には、操作レバーは吐出ノズルへ係合してカバーキャップの装着の邪魔にならない位置に位置するため、カバーキャップの装着操作が容易である。
【００１０】
さらに、吐出操作は、操作レバーの押下げによって行うため、把持箇所は容器体の底部に限定されることなく、容器体の任意の部位を、例えば、手のひらと親指を除く４本の指で把持可能であり、したがって、容器体の高さ設定の自由度が増大する。
【発明を実施するための最良の形態】
【００１１】
以下、本発明を、図面に示す実施の形態を参照しながら説明する。なお、説明の便宜上、図面において左方向を前方とする。
図１において、１は容器体で、肩部２を介して口頸部３を起立する。
【００１２】
１０は装着筒で、口頸部３外面へ螺合させた内筒１１上端からフランジ状頂壁１２を介して短筒１３を起立するとともに、外向きフランジを介して外筒１４を垂下する。
【００１３】
２０は支持筒で、周壁下部を外筒１４外面へ嵌合させるとともに、周壁上部の後部を切欠いて上端開口の切欠部２１を形成し、さらに周壁天面２２に前後方向への開口部２３を形成している。また切欠部２１下端に内向きフランジ２４を形成して、該内向きフランジ２４をフランジ状頂壁１２の外周面へ嵌合させている。
【００１４】
３０は操作レバーで、開口部２３内へ隙間を介して嵌合させたレバー本体３１の前端を開口部２３前端へ薄肉ヒンジ３３を介して上下方向へ揺動可能に支持させている。レバー本体３１の前後方向中間部には前後方向へ長い楕円形状の透孔３４が形成されており、該透孔３４の後部左右両内面には係合手段を構成する係合突部３５が形成されている。さらに該透孔３４より後方のレバー本体３１部分は指掛け部３５ａに形成されている。
【００１５】
４０は筒状の吐出ノズルで、容器体１の口頸部３内に設けられたシリンダＣ内から上方付勢されて起立するステムＳ上端部へノズル本体４１を嵌合させている。該ノズル本体４１は操作レバー３０の透孔３４を挿通して、支持筒２０よりも上方へ達している。
【００１６】
支持筒２０より上方のノズル本体４１部分外面には係合手段を構成する係合凹部４２が形成されていて、該係合凹部４２へは係合突部３５が係合可能に形成されている。なお、該係合凹部４２は省略することも可能で、この場合には操作レバー３０の水平位置においてノズル本体４１の後部に位置する係合突部３５が、操作レバー３０の上昇でノズル本体４１の前部へ移動する強制乗越えで、操作レバー３０がノズル本体４１へ係合される。
【００１７】
ノズル本体４１の下端部には操作レバー３０の透孔３４の後端が係合可能なフランジ状突部４３が形成されている。該フランジ状突部４３はノズル本体４１とは別体に構成することも可能で、この場合にはフランジ付きリングをノズル本体４１より下方のステムＳ部分外面へ嵌合させる。
【００１８】
５０はカバーキャップで、頂板５１周縁から垂下した周壁５２の下部を支持筒２０下部外面へ嵌合可能に形成している。
【００１９】
なお、６０は筒状ピストンで、容器体１内面へ上下動自在に嵌合されており、容器体１内の点鼻薬の減少に連れて上昇可能に設けられている。
【００２０】
次に作用について説明する。
図１は不使用状態を示すもので、カバーキャップ５０が支持筒２０外面へ嵌合されており、また操作レバー３０は係合突部３５が係合凹部４２へ係合されることで斜め上へ傾斜した休止位置(第３位置)に位置する。すなわち、操作レバー３０はカバーキャップ５０が装着可能なように斜め上へ傾斜している。言い換えれば、操作レバー３０先端はステム軸線を中心とするカバーキャップの内径より小径の円の内方に位置する。
【００２１】
点鼻薬を吐出させるには、カバーキャップ５０を支持筒２０から離脱させた後、図２に示すように操作レバー３０を押下げる。すると係合突部３５が係合凹部４２から下方へ離脱して操作レバー３０が切欠部２１内を下方へ揺動し、透孔３４の後端がフランジ状突部４３へ上方から係合する。このストローク開始位置(第１位置)では操作レバー３０はほぼ水平状態にあり、操作レバー３０先端はステム軸線を中心とするカバーキャップ５０の内径より小径の円の外方に位置する。
【００２２】
さらに操作レバー３０を押下げると、ステムＳが下降して吐出ノズル４０から点鼻薬が吐出する。このストローク終了位置(第２位置)では、操作レバー３０は斜め下へ傾斜しており、操作レバー３０先端はステム軸線を中心とするカバーキャップ５０の内径より小径の円の外方に位置する。
【００２３】
吐出終了後は、操作レバー３０を上方へ持ち上げて、係合突部３５を係合凹部４２へ係合させることにより、カバーキャップ５０が装着可能な位置へ位置させる。
【図面の簡単な説明】
【００２４】
.
【図１】(１)  本発明に係る点鼻薬吐出容器の一部切欠き側面図である。
【図２】作用説明図である。
【図３】図２の平面図である。
【符号の説明】
【００２５】
１  容器体
３  口頸部
１０  装着筒
２０  支持筒
２１  切欠部
３１  操作レバー
３４  透孔
３５  係合手段
４０  吐出ノズル
５０  カバーキャップ
Ｓ  ステム
【図１】
2010082195.tif 000003
【図２】
2010082195.tif 000004
【図３】
2010082195.tif 000005